(57)【要約】【課題】  本発明の目的は、支柱と筋かいを確実に固定するとともに、外観を損ねることなく筋かいを固定することが可能な筋かい固定金物及び筋かい固定方法を提供することにある。【解決手段】  土台３と支柱２によって形成される内隅部に筋かい部材１を固定するための筋かい固定金物１０に関する。  筋かい固定金物１０は、頭部と頭部から延出する脚部とを備えた第１の部材１１と、脚部に係合する第２の部材１２と、第２の部材１２を固定する第３の部材１３と、を備え、第２の部材１１は、支柱２に埋設され、第１の部材１１は、筋かい部材１側から挿入され、筋かい部材１を貫通するとともに、第１の部材１１に係合して、筋かい部材１と支柱２を連結し、第３の部材１３は、支柱２と第２の部材１２に係合して、第２の部材１２を固定する。【選択図】        図１
2006070445.tif 000002
【特許請求の範囲】
【請求項１】
土台と支柱によって形成される内隅部に筋かい部材を固定するための筋かい固定金物であって、
該筋かい固定金物は、頭部と該頭部から延出する脚部とを備えた第１の部材と、
前記脚部に係合する第２の部材と、
該第２の部材を固定する第３の部材と、を備え、
前記第２の部材は、前記支柱に埋設され、
前記第１の部材は、前記筋かい部材側から挿入され、前記筋かい部材を貫通するとともに、前記第１の部材に係合して、前記筋かい部材と前記支柱を連結し、
前記第３の部材は、前記支柱と前記第２の部材に係合して、前記第２の部材を固定することを特徴とする筋かい固定金物。
【請求項２】
前記第１の部材はボルトであり、前記第２の部材には前記ボルトに形成された螺子山に螺合する螺子溝が形成されていることを特徴とする請求項１に記載の筋かい固定金物。
【請求項３】
前記第３の部材は、前記第１の部材と干渉しない位置に配設されることを特徴とする請求項１に記載の筋かい固定金物。
【請求項４】
前記筋かい部材は前記支柱の両側に備えられ、
前記第１の部材は複数備えられており、
複数の前記第１の部材は各々、前記支柱の両側に備えられた前記筋かい部材を貫通するとともに、前記第２の部材の両端部から挿入されることを特徴とする請求項１に記載の筋かい固定金物。
【請求項５】
頭部と該頭部から延出する脚部とを備えた第１の部材と、前記脚部に係合する第２の部材と、該第２の部材を固定する第３の部材とを備えた筋かい固定金物によって、土台と支柱によって形成される内隅部に筋かい部材を固定するための筋かい固定方法であって、
前記第２の部材を前記支柱に埋設する埋設工程と、
前記第２の部材に前記第３の部材を係合させることにより、前記第２の部材を前記支柱に固定する第２の部材固定工程と、
前記筋かい部材に貫通させた前記第１の部材を、前記支柱に埋設された前記第２の部材に係合させることにより前記筋かい部材を前記支柱に固定する筋かい部材固定工程と、を行うことを特徴とする筋かい固定方法。
【発明の詳細な説明】
【技術分野】
【０００１】
本発明は、筋かい固定金物及び筋かい固定方法に関し、より詳細には、筋かいを支柱に確実に固定することのできる筋かい固定金物及び筋かい固定方法に関するものである。
【背景技術】
【０００２】
従来より、筋かい構造を装飾として用いたバルコニーの手摺やフェンス等が知られている。
しかし、筋かいは、土台に対して傾斜して設置されるものであるため、筋かいを高い強度で固定することは困難であった。
【０００３】
このような問題を解消し、筋かいを土台と支柱に確実に固定するために、筋かい連結金物が開発されている（例えば、特許文献１参照）。
特許文献１には、互いに直交する柱固定片、横架材固定片、筋かい固定片の３壁を有する筋かい連結金物が開示されている。
特許文献１に記載された筋かい連結金物では、柱固定片に柱を、横架材固定片に横架材を、筋かい固定片に筋かいを接合させて、ボルトで固定することにより、筋かいを固定するように構成されている。なお、この筋かい連結金物は、基礎とアンカーボルトで連結されている。
【０００４】
【特許文献１】特開平０９−１７７１７４号公報（第３頁及び第４頁、図１及び図６）
【発明の開示】
【発明が解決しようとする課題】
【０００５】
しかし、上記特許文献１の技術では、筋かい連結金物を外部に装着するため、筋かいを設置した後に、筋かい連結金物全体が外部に露見することとなる。
このため、筋かい構造を装飾として用いたバルコニーの手摺やフェンス等に使用した場合には、デザイン性が損なわれるという問題があった。
【０００６】
上記問題を解決するため、図８に示すように、支柱２と筋かい１を一本のボルト１１１で固定する方法が知られている。
この方法によれば、筋かい固定用部材が外部に露見する部分が少なくなるとはいえ、依然として、ボルトの頭と脚が露出しており、デザイン性が損なわれるという問題点があった。
【０００７】
本発明の目的は、上記各問題点を解決することにあり、支柱と筋かいを確実に固定するとともに、外観を損ねることなく筋かいを固定することが可能な筋かい固定金物及び筋かい固定方法を提供することにある。
【課題を解決するための手段】
【０００８】
上記課題は、請求項１に係る発明によれば、土台と支柱によって形成される内隅部に筋かい部材を固定するための筋かい固定金物であって、該筋かい固定金物は、頭部と該頭部から延出する脚部とを備えた第１の部材と、前記脚部に係合する第２の部材と、該第２の部材を固定する第３の部材と、を備え、前記第２の部材は、前記支柱に埋設され、前記第１の部材は、前記筋かい部材側から挿入され、前記筋かい部材を貫通するとともに、前記第１の部材に係合して、前記筋かい部材と前記支柱を連結し、前記第３の部材は、前記支柱と前記第２の部材に係合して、前記第２の部材を固定することにより解決される。
【０００９】
上記課題は、請求項５に係る発明によれば、頭部と該頭部から延出する脚部とを備えた第１の部材と、前記脚部に係合する第２の部材と、該第２の部材を固定する第３の部材とを備えた筋かい固定金物によって、土台と支柱によって形成される内隅部に筋かい部材を固定するための筋かい固定方法であって、前記第２の部材を前記支柱に埋設する埋設工程と、前記第２の部材に前記第３の部材を係合させることにより、前記第２の部材を前記支柱に固定する第２の部材固定工程と、前記筋かい部材に貫通させた前記第１の部材を、前記支柱に埋設された前記第２の部材に係合させることにより前記筋かい部材を前記支柱に固定する筋かい部材固定工程と、を行うことにより解決される。
【００１０】
このように、第１の部材が筋かい部材を貫通し、その脚部が支柱に埋設された第２の部材に固定されることにより支柱と筋かい部材が固定されるため、第１の固着部材の一端は、外部に突出することがない。
したがって、第１の部材は、支柱側では露見せず、筋かい部材側でのみ露見することとなる。よって、支柱と筋かい部材が固定された状態では、第１の部材の一端のみが外部より視認されることとなる。
このため、支柱と筋かい部材が固定された状態では、筋かい固定金物の大部分が外部に露見しなくなる。
よって、筋かい部材が立設された状態での外観性を損ねることなく、支柱と筋かい部材を固定することが可能となる。
また、固定部材は、第３の部材によって、支柱内部に固定される。
よって、支柱内部で固定部材が確実に保持され、第２の部材がずれることを防止でき、高い強度で、筋かいを固定することができる。
【００１１】
このとき、前記第１の部材はボルトであり、前記第２の部材には前記ボルトに形成された螺子山に螺合する螺子溝が形成されていると、ボルトが固定部材の螺子溝に螺合され、より強固に筋かい部材と支柱を連結することができるため好適である。
【００１２】
また、このとき、前記第３の部材は、前記第１の部材と干渉しない位置に配設されていると、第３の部材が、第１の部材によって支柱と筋かい部材が固定されることを妨害することがなくなるため好適である。
【００１３】
更に、このとき、前記筋かい部材は前記支柱の両側に備えられ、前記第１の部材は複数備えられており、複数の前記第１の部材は各々、前記支柱の両側に備えられた前記筋かい部材を貫通するとともに、前記第２の部材の両端部から挿入されるよう構成されていると、一個の固定部材を支柱に埋設するだけで、支柱の両側に筋かい部材を立設できるため好適である。
【発明の効果】
【００１４】
本発明によれば、支柱の下端側に第２の部材を埋設し、この第２の部材に、筋かい部材側面から筋かい部材を貫通させた第１の部材を係合させることによって、筋かい部材を支柱に固定する。
よって、筋かい部材が配設された状態では、第１の部材の一部が視認されるのみで、筋かい固定金物のその他の部分は、外部より視認されない。
したがって、バルコニーの手摺やフェンス等は、装飾としての目的をも備えて設置されるものであるが、筋かい固定金物を使用することにより、これら住宅設備のデザイン性が損なわれることなく、構成部材の連結を確実に行うことができる。
また、本発明による柱固定用金物は、筋かい部材が立設された状態では、ほとんど視認されないため、筋かいを立設する箇所が限定されることがなく、設計の自由性を確保することができる。
【００１５】
また、第２の部材は、筋かい部材が配設されている側面と直角に交わる支柱の側面より挿入された第３の部材により、支柱内部に固定される。
このように、第２の部材は、支柱に埋設された状態で第３の部材により固定されるため、支柱内部で移動することがなくなり、第１の部材を安定して固定することができる。よって、筋かい部材を支柱に高い強度で固定することが可能となる。
【発明を実施するための最良の形態】
【００１６】
以下、本発明の一実施例を図面に基づいて説明する。なお、以下に説明する構成は本発明を限定するものでなく、本発明の趣旨の範囲内で種々改変することができるものである。
本実施形態は、支柱と筋かいを確実に固定することが可能であるとともに、筋かいを固定する際に使用された部材が外部より視認されにくい状態で筋かいを立設することが可能な筋かい固定金物に関するものである。
【００１７】
図１乃至図６は、本発明に係る実施形態を示すものであり、図１は第１筋かい固定金物の全体図、図２は支柱及び土台に埋設される部材を示す説明図、図３（ａ）は筋かいの固定部分を示す側面図、図３（ｂ）は図３（ａ）のＡ−Ａ線断面図、図４は筋かいが固定される状態を示す説明図、図５は第２筋かい固定金物の全体図、図６（ａ）は筋かいの固定部分を示す説明図、図６（ｂ）は図６（ａ）のＢ−Ｂ線断面図である。
【００１８】
まず、図１乃至図６を参照し、本実施形態に係る筋かい固定金物について説明する。
本実施形態に係る第１筋かい固定金物１０は、図１に示すように、第２の部材としての第１ボルト固定部材１２、第１の部材としてのボルト１１、第３の部材としてのピン１３を主要構成としている。
本実施形態の第１筋かい固定金物１０は、土台３上に立設される支柱２に、筋かい部材１を連結させ、固定するためのものである。
【００１９】
本実施形態の第１ボルト固定部材１２は、円筒形状の部材であり、挿入孔としての第１ボルト挿入孔１２ｂが形成されている。
また、第１ボルト挿入孔１２ｂの内周面には螺子溝が形成されている。
更に、第１ボルト固定部材１２の端部には、第１ピン貫通孔１２ａ，１２ａが形成されている。この第１ピン貫通孔１２ａ，１２ａには、後述するピン１３が係合される。
第１ピン貫通孔１２ａ，１２ａは、互いに対向する位置に穿孔されている。
第１ボルト固定部材１２は、後述する支柱２に埋設される。
【００２０】
ボルト１１としては、例えば公知のＭ１６ボルトが使用される。ボルト１１は、六角柱状の頭部１１ａと螺子山が形成された脚部１１ｂとを有する。
脚部１１ｂに形成された螺子山は、第１ボルト固定部材１２の第１ボルト挿入孔１２ｂに形成された螺子溝と螺合するように形成されている。
ボルト１１は、筋かい部材の下部側の外側面から、支柱２に埋設された第１ボルト固定部材１２の第１ボルト挿入孔１２ｂに向けて挿入され、第１ボルト挿入孔１２ｂに形成された螺子溝に螺合される。
【００２１】
ピン１３としては、例えば公知のドリフトピンが使用される。ピン１３の端部には円錐状の挿入部１３ｂが形成されている。また、他端には、抜け防止部１３ａが形成されている。
抜け防止部１３ａの外径は、ピン１３の本体の外径より若干大きく形成されており、表面にはローレット加工が施されている。
このため、ピン１３が支柱２に挿入された際に、ピン１３と支柱２と摩擦係数が大きくなり、ピン１３が抜け落ちるのを防止することができる。
【００２２】
また、ピン１３は、第１ボルト固定部材１２に形成された第１ピン貫通孔１２ａ，１２ａを貫通して配設され、これにより、第１ボルト固定部材１２が支柱２内部に固定される。
ピン１３の外径は、第１ボルト固定部材１２に穿孔された第１ピン貫通孔１２ａ，１２ａの径よりも若干大きく形成されている。よって、ピン１３が第１ピン貫通孔１２ａ，１２ａに打ち込まれると、ピン１３は、第１ピン貫通孔１２ａ，１２ａを押し広げた状態で、第１ピン貫通孔１２ａ，１２ａを貫通する。
このため、ピン１３は貫通孔１２ａ，１２ａに密着するため、第１ボルト固定部材１２は、ピン１３によって確実に固定される。
【００２３】
次いで、図２乃至図４を参照して、本実施形態に係る第１筋かい固定金物１０で筋かい部材１を固定する方法について説明する。
筋かい部材１及び支柱２は、土台３上に立設されるが、筋かい部材１は、土台３上に支柱２が立設された後、支柱２に固定される。
まず、図２及び図３により、支柱２を土台３上に立設するための方法を説明する。
図２に示すとおり、支柱２と土台３は、支持部材４０により連結固定される。
【００２４】
土台３としては、例えば公知の角材が使用される。土台３には、図２に示すとおり、支柱２が接する側面に、土台支持部材挿入孔３ａが穿孔されている。
土台支持部材挿入孔３ａには、後述する支持部材４０が挿入される。
土台支持部材挿入孔３ａは、支柱２との当接面から、略鉛直下方向（図２のＹ方向）に穿孔されている。
また、土台３の支柱２との当接面と直交する側面の一つから、後述する支持部材４０が挿入されたとき、支持部材４０に形成されている支柱支持ピン貫通孔４０ａに整合する位置に向かって、土台支持ピンガイド孔３ｂが形成されている。
土台支持ピンガイド孔３ｂは、後述する支持部材４０を固定するための支柱支持ピン４０ｃを、支柱支持ピン貫通孔４０ａに向けて打ち込むときに、ガイドとなる孔である。ただし、この土台支持ピンガイド孔３ｂは、必ずしも設けられる必要はなく、支柱支持ピン４０ｃを打ち込む位置を示すための目印を土台３の側面に付してもよい。
【００２５】
支柱２としては、例えば公知の角材が使用される。支柱２の下端には、図２に示すとおり、第１ボルト固定部材挿入孔２ａ、支柱支持部材挿入孔２ｂ、支柱支持ピンガイド孔２ｃ、金物ピンガイド孔２ｄが形成されている。
【００２６】
第１ボルト固定部材挿入孔２ａには、第１ボルト固定部材１２が埋設される。
第１ボルト固定部材挿入孔２ａは、支柱２の、筋かい部材と接する側の面から、底面と略平行に、支柱２の中心方向へ向けて穿孔されている。
第１ボルト固定部材挿入孔２ａの内径は、第１ボルト固定部材１２の外径より僅かに大きく形成されている。
第１ボルト固定部材挿入孔２ａには、予め第１ボルト固定部材１２が挿入されて、ピン１３により固定されている。このとき、第１ボルト固定部材１２は、第１ピン貫通孔１２ａ，１２ａが形成されている側の端部を支柱の内部側へ向けて、挿入されている。
【００２７】
また、支柱２の筋かい部材と当接する側面と直交する側面の一つから、第１ボルト固定部材挿入孔２ａに第１ボルト固定部材１２が挿入されたとき第１ピン貫通孔１２ａ，１２ａに整合する位置に向かって、金物ピンガイド孔２ｄが形成されている。
金物ピンガイド孔２ｄは、ピン１３を、第１ピン貫通孔１２ａに向けて打ち込むときに、ガイドとなる孔である。ただし、この金物ピンガイド孔２ｄは、必ずしも設けられる必要はなく、位置を示すための目印を支柱２の側面に付してもよい。
金物ピンガイド孔２ｄの内径は、ピン１３の外径よりも若干小さく形成されている。
挿入された第１ボルト固定部材１２は、ピン１３を金物ピンガイド孔２ｄに沿って、第１ピン貫通孔１２ａ，１２ａに打ち込むことによって、支柱２へ固定される。
【００２８】
支柱支持部材挿入孔２ｂには、後述する支持部材４０が挿入される。
支柱支持部材挿入孔２ｂは、支柱２の底面から、略鉛直上方向（図２のＸ方向）に穿孔されている。
【００２９】
支柱支持ピンガイド孔２ｃは、支柱２の筋かい部材と当接する側面と直交する側面の一つから、後述する支持部材４０が埋設されたとき、支持部材４０に形成された支柱支持ピン貫通孔４０ａに整合する位置に向かって形成されている。
支柱支持ピンガイド孔２ｃは、後述する支持部材を固定するための支柱支持ピン４０ｃを、支柱支持ピン貫通孔４０ａに導くためのガイドとなる孔である。ただし、この支柱支持ピンガイド孔２ｃは、必ずしも設けられる必要はなく、位置を示すための目印を支柱２の側面に付してもよい。
【００３０】
筋かい部材１としては、例えば公知の角材が使用される。筋かい部材１は、図３及び図４に示すように、筋かい部材１及び支柱２によって形成される角度ｗが所定の角度を形成した状態で、支柱２及び土台３によって形成される角隅部に沿うように、その端部が２箇所切り欠かれている。このように切り欠かれることにより、筋かい部材１の端部には、切り欠き面１ｄ及び切り欠き面１ｅが形成されている。なお、この切り欠き面１ｄ及び切り欠き面１ｅは、直交している。
また、切り欠き面１ｄには支柱１が接しており、切り欠き面１ｅには土台３が接している。
【００３１】
筋かい部材１の、支柱２側の側面と対向する側面１ｆには、ボルト設置部１ａが形成されている。
ボルト設置部１ａは、側面１ｆの一部を四角錐形状に切り欠くことにより形成される。このボルト設置部１ａは、土台３に平行な底面１ｇを上部方向（図４のＺ方向）に向け、この底面１ｇに直交する四角形状の側面１ｂと、この底面に直交するとともに相対向する合同な三角形状の２側面１ｈ，１ｈを有している。
また、底面１ｇに直交する四角形状の側面１ｂから、切り欠き面１ｄに向けてボルト挿入ガイド孔１ｃが形成されている。
このボルト挿入ガイド孔１ｃは、支柱２に埋設された第１ボルト固定部材１２の第１ボルト挿入孔１２ｂと連通している。
【００３２】
支持部材４０は、例えば略円筒状の部材から形成されており、支持部材４０の鉛直方向の長さは、支柱支持部材挿入孔２ｂの鉛直方向の長さと土台支持部材挿入孔３ａの鉛直方向の長さの和と同一となっている。
また、支持部材４０の外径は、土台支持部材挿入孔３ａの内径及び支柱支持部材挿入孔２ｂの内径より僅かに小さく形成されている。
支持部材４０の上端（図２のＸ方向）と下端（図２のＹ方向）には、それぞれ支柱支持ピン貫通孔４０ａ，４０ａが形成されている。
この支柱支持ピン貫通孔４０ａ，４０ａには、支持部材４０が支柱２及び土台３に埋設された状態で、支柱２及び土台３の外部より支柱支持ピン４０ｃ，４０ｃが配設される。支柱支持ピン４０ｃ，４０ｃが配設されることにより、支柱２が土台３に固定される。
支柱支持ピン４０ｃ，４０ｃとしては、ピン１３と同型の公知のドリフトピンが使用され、本実施形態においては、ピン１３よりも大きいサイズのものが使用されている。
支柱支持ピン貫通孔４０ａ，４０ａは、支柱支持ピン４０ｃ，４０ｃより僅かに小さく形成されている。このため、支柱支持ピン４０ｃ，４０ｃは、支柱支持ピン貫通孔４０ａ，４０ａを押し広げた状態で、固定される。よって、支柱支持ピン４０ｃ，４０ｃは支柱支持ピン貫通孔４０ａ，４０ａに密着するため、支持部材４０は、支柱支持ピン４０ｃ，４０ｃによって確実に固定される。また、支柱支持ピン４０ｃの外径は、土台支持ピンガイド孔３ｂの内径及び支柱支持ピンガイド孔２ｃの内径よりも若干大きく形成されている。
なお、支持部材４０の素材は、立設する支柱に要求される強度により選択されるが、本実施形態では、鉄鋼製の支持部材４０を使用している。
【００３３】
支柱２と土台３とは、図２に示すとおり、支持部材４０を介して連結される。
まず、土台３に形成された土台支持部材挿入孔３ａに、支持部材４０の下端側を挿入し、土台支持ピンガイド孔３ｂに沿って（支柱支持ピン貫通孔４０ａ，４０ａに向かって）、支柱支持ピン４０ｃを打ち込むことによって、支持部材４０を土台３に固定する。
次いで、支柱支持部材挿入孔２ｂを支持部材４０の上端側に挿入し、支柱支持ピンガイド孔２ｃに沿って（支柱支持ピン貫通孔４０ａ，４０ａに向かって）、支柱支持ピン４０ｃを打ち込むことによって、支持部材４０を支柱１に固定する。
前述したとおり、支柱支持部材挿入孔２ｂの鉛直方向の長さと土台支持部材挿入孔３ａの鉛直方向の長さの和は、支持部材４０の鉛直方向の長さと同一となっているので、支持部材４０が、支柱支持部材挿入孔２ｂ及び土台支持部材挿入孔３ａに挿入されて固定されると、支柱２の底面は土台の上面に当接した状態で固定されることとなる。
【００３４】
筋かい部材１は、図３及び図４に示すとおり、第１筋かい固定金物１０によって、支柱１に固定される。
まず、筋かい部材１を土台３と支柱で形成される角隅部に設置する。このとき、筋かい部材１は、切り欠き面１ｄと支柱１とが当接し、切り欠き面１ｅと土台３とが当接するように設置される。
次いで、筋かい部材１に形成されたボルト挿入ガイド孔１ｃから、角座金３０を介して、ボルト１１を挿入する。
前述したとおり、ボルト挿入ガイド孔１ｃは、支柱２に予め埋設された第１ボルト固定部材１２の第１ボルト挿入孔１２ｂと連通しているため、ボルト１１をボルト挿入ガイド孔１ｃから挿入して、ボルト１１の脚部１１ｂを第１ボルト挿入孔１２ｂに螺設することにより、筋かい部材１を支柱２に固定することができる。
このようにして、第１筋かい固定金物１０によって、筋かい部材１が支柱２と角度ｗをなして、固定される。
【００３５】
図５及び図６は、筋かい固定部材の他の実施形態を示す説明図である。本実施形態において、前記実施形態と同様部材等には同一符号を付し、その説明を省略する。
第２筋かい固定金物２０の構成は、第１筋かい固定金物１０とほぼ同一であるため、相違点のみ説明する。
図５に示すように、第２筋かい固定金物２０は、第２ボルト固定部材２２、ボルト１１，１１、ピン１３を主要構成としている。
ボルト１１及びピン１３は、第１筋かい固定金物１０と同一のものが使用される。なお、第２筋かい固定金物２０では、ボルト１１は２本使用されている。
【００３６】
第２ボルト固定部材２２は、円筒形状の部材であり、第２ボルト挿入孔２２ｂが形成されている。
第２ボルト挿入孔２２ｂの内周面には螺子溝が形成されており、この螺子溝は、ボルト１１の螺子山が螺合するように形成されている。
また、第２ボルト固定部材２２の中央部には、第２ピン貫通孔２２ａ，２２ａが形成されている。
第２ピン貫通孔２２ａ，２２ａは、互いに対向する位置に穿孔されており、ピン１３の径より僅かに小さく形成されている。
【００３７】
ボルト１１，１１は各々、第２ボルト固定部材２２の両端より挿入され、第２ボルト挿入孔２２ｂに形成された螺子溝に螺合される。
また、ピン１３は、第２ボルト固定部材２２に形成された第２ピン貫通孔２２ａ，２２ａを貫通して配設される。
【００３８】
支柱２、土台３、筋かい部材１，１は、前述した実施形態と同一であるが、本実施形態では、支柱２の両側に、中心線Ｓに対して対称となる位置に配設される。
支柱２を土台３上に立設するための方法は、前述した実施形態と同一である。
本実施形態では、支柱２には、第１ボルト固定部材挿入孔２ａの代わりに、第２ボルト固定部材挿入孔１０２ａが形成されている。
第２ボルト固定部材挿入孔１０２ａは、第２ボルト固定部材２２を埋設するためのものである。
第２ボルト固定部材挿入孔１０２ａは、支柱２の底面と平行に支柱２を貫通して形成されている。
なお、第２ボルト固定部材挿入孔１０２ａの内径は、第２ボルト固定部材２２の外径より僅かに大きく形成されている。
第２ボルト固定部材２２は、予め第２ボルト固定部材挿入孔１０２ａに挿入されている。
第２ボルト固定部材２２は、金物ピンガイド孔２ｄよりピン１３が打ち込まれることにより、支柱２に固定される。
【００３９】
土台３上に立設された支柱２の両側に筋かい部材１，１が配設された状態においては、ボルト挿入ガイド孔１ｃ，１ｃは、支柱２に埋設された第２ボルト固定部材２２の第２ボルト挿入孔２２ｂと連通するように形成されている。
この状態で、ボルト１１，１１を、角座金３０，３０を介してボルト挿入ガイド孔１ｃ，１ｃから挿入し、支柱２に埋設された第２ボルト固定部材２２に螺設する。このようにして、筋かい部材１，１が支柱２に固定される。
このように、第２筋かい固定金物２０によって、筋かい部材１，１が支柱２と角度ｗをなして、固定される。
【００４０】
次いで、図７により、ボルト固定部材１２の改変例について説明する。
本改変例に係るボルト固定部材１２０は、ボルト固定部材１２と基本的な構成は同様であるため、相違点のみ記載する。
本改変例に係るボルト固定部材１２０は、一端側にピン貫通孔１２０ａ，１２０ａが穿孔されており、他端側に位置決め突起１２０ｃが形成されている。
位置決め突起１２０ｃは、略直方体形状の突起であり、ピン貫通孔１２０ａの中心線Ｔ上に形成されている。
【００４１】
支柱２には、ボルト固定部材挿入孔１１２ａが、支柱２の筋かい部材１と接する側面から、底面と略平行に、中心方向へ穿孔されており、ボルト固定部材挿入孔１１２ａの内壁面には、位置決め突起１２０ｃが挿入される挿入溝１１２ｅが、ボルト固定部材挿入孔１１２ａに連設されている。
また、支柱２の筋かい部材１と当接する面と垂直な面の一つからボルト固定部材挿入孔１１２ａに向けて、ピンガイド孔１１２ｄが穿孔されており、挿入溝１１２ｅは、ボルト固定部材挿入孔１１２ａの開口部から、ピンガイド孔１１２ｄとボルト固定部材挿入孔１１２ａとが交わる位置に向かって形成されている。挿入溝１１２ｅの深さは、位置決め突起１２０ｃの水平方向の長さより若干長く形成されている。
よって、位置決め突起１２０ｃを挿入溝１０２ｅに挿入しながら、ボルト固定部材１２０をボルト固定部材挿入孔１１２ａに挿入すれば、ピン貫通孔１２０ａ，１２０ａとピンガイド孔１１２ｄとは連通するので、ピン貫通孔１２０ａ，１２０ａの位置合わせを行う必要がなくなる。
【００４２】
本実施形態においては、第１筋かい固定金物１０及び第２筋かい固定金物２０を使用することにより、固定用の金物がほとんど外部に露出しない状態で、筋かいを固定することができる。
また、使用した部材は全て、特別に製造されるものではなく、建築業で一般的に使用される螺子切りパイプを切断したり、螺子切りパイプを穿孔するのみで製作できる。
よって、サイズが異なる筋かい固定金物を容易に製作することができ、設計の自由度が高まる。
【図面の簡単な説明】
【００４３】
【図１】本発明の一実施形態に係る第１筋かい固定金物の全体図である。
【図２】本発明の一実施形態に係る支柱及び土台に埋設される部材を示す説明図である。
【図３】本発明の一実施形態に係る筋かいの固定部分を示す側面図及び断面図である。
【図４】本発明の一実施形態に係る筋かいが固定される状態を示す説明図である。
【図５】本発明の一実施形態に係る第２筋かい固定金物の全体図である。
【図６】本発明の一実施形態に係る筋かいの固定部分を示す側面図及び断面図である。
【図７】本発明に係る固定部材の改変例を示す説明図である。
【図８】公知技術を示す説明図である。
【符号の説明】
【００４４】
１  筋かい部材
１ａ  ボルト設置部
１ｂ  側面
１ｃ  ボルト挿入ガイド孔
２  支柱
２ａ  第１ボルト固定部材挿入孔
２ｂ  支柱支持部材挿入孔
２ｃ  支柱支持ピンガイド孔
２ｄ  金物ピンガイド孔
３  土台
３ａ  土台支持部材挿入孔
３ｂ  土台支持ピンガイド孔
１０  第１筋かい固定金物
１１  第１の部材(ボルト)
１２  第２の部材（第１ボルト固定部材）
１２ａ  第１ピン貫通孔
１２ｂ  第１ボルト挿入孔
１３  第３の部材（ピン）
２０  第２筋かい固定金物
２２  第２の部材（第２ボルト固定部材）
２２ａ  第２ピン貫通孔
２２ｂ  第２ボルト挿入孔
３０  角座金
４０  支持部材
４０ａ  支柱支持ピン貫通孔
４０ｃ  支柱支持ピン
１０２ａ  第２ボルト固定部材挿入孔
【図１】
2006070445.tif 000003
【図２】
2006070445.tif 000004
【図３】
2006070445.tif 000005
【図４】
2006070445.tif 000006
【図５】
2006070445.tif 000007
【図６】
2006070445.tif 000008
【図７】
2006070445.tif 000009
【図８】
2006070445.tif 000010